(57)【要約】【課題】サージングや、送風性能の悪化を最小限に抑えつつ、壁やカーテンの脱臭まで行う空気調和機の構成を提供すること。【解決手段】ペルチエ素子６を有して、冷却面８に結露した水を、放電によってクラスターにして空気中に放出させる水クラスター発生装置５を、送風回路の吹出口４に配し、その放熱フィン１０の長さが中央から両端に向かって、漸次短くなっていることを特徴とする空気調和機。【選択図】図１
2006097956.tif 000002
【特許請求の範囲】
【請求項１】
熱交換器と、クロスフローファンと、吸入口からフィルタ、前記熱交換器、前記クロスフローファンを通って吹出口に至る送風回路と、ペルチエ素子を有して、冷却面と放熱フィンを有し、冷却面に結露した水を、放電によってクラスター粒子にして空気中に放出させる水クラスター発生装置を備え、この水クラスター発生装置を、リアガイダの吹き出し近傍に配し、その放熱フィンが吹き出し方向と平行であり、かつ、その長さが中央から両端に向かって、漸次短くなっていることを特徴とする空気調和機。
【請求項２】
熱交換器と、クロスフローファンと、吸入口からフィルタ、前記熱交換器、前記クロスフローファンを通って吹出口に至る送風回路と、ペルチエ素子を有して、冷却面と放熱フィンを有し、冷却面に結露した水を、放電によってクラスター粒子にして空気中に放出させる水クラスター発生装置を備え、この水クラスター発生装置を、リアガイダの吹き出し近傍に配し、その放熱フィンと吹き出し方向との成す角度が、放熱フィン中央では平行であるが、両端に向かって、漸次その角度が大きくなっていることを特徴とする空気調和機。
【請求項３】
前記水クラスター発生装置を、リアガイダの吹き出し近傍、リアガイダの右から２連目の仕切り板の前に配したことを特徴とする請求項１または請求項２記載の空気調和機。
【請求項４】
前記水クラスター発生装置の放熱フィンの面において、無数の開孔を有していることを特徴とする請求項１、２または請求項３記載の空気調和機。
【請求項５】
前記水クラスター発生装置の放熱フィンの面において、無数のディンプル形状を有していることを特徴とする請求項１、２または請求項３に記載の空気調和機。
【発明の詳細な説明】
【技術分野】
【０００１】
本発明は、水のクラスターを室内に放出することで、壁やカーテンの脱臭を行う、空気調和機の構成に関する。
【背景技術】
【０００２】
近年の空気調和機は冷房や暖房を行うに留まらず、室内空気の質向上を図るべく、浮遊塵埃やアレルゲンの除去、脱臭、抗菌などの各種機能が付与されている（例えば、特許文献１参照）。これらの手段としては、特許文献１に記載された図１０の従来例に示すように、空気吸入口１に各種のフィルタ１４を設けて濾し採るあるいは吸着するといった方式のものが発明されている。
【特許文献１】特開平８−２２４４１３号公報
【発明の開示】
【発明が解決しようとする課題】
【０００３】
しかしながら、前記従来の構成では、フィルタ１４の汚損が進行すると通風抵抗が増加して、送風性能が低下して、冷暖房時のエネルギー消費を増大させ、且つ、サージング（断続的異常音）が発生し易くなるばかでなく、適宜、清掃・手入れを行わないと塵埃や臭いがフィルタ１４に堆積するためにかえって逆効果となる可能性があるという課題を有していた。
【０００４】
また、上記のような方式で脱臭を行う場合、室内空気中の臭い成分は比較的速やかに除去されるが、室内の壁やカーテン等に付着している臭い成分までは除去できず、室内には臭いが残ってしまうという課題があった。
【０００５】
本発明は、前記従来の課題を解決するもので、安全性が高く、室内の壁やカーテン等に付着している臭い成分まで除去できる機能を有しながら、送風性能の低下が少なく、サージングを抑えることのできる空気調和機を提供することを目的とする。
【課題を解決するための手段】
【０００６】
前記従来の課題を解決するために、本発明の空気調和機は、熱交換器と、クロスフローファンと、吸入口からフィルタ、前記熱交換器、前記クロスフローファンを通って吹出口に至る送風回路と、ペルチエ素子を有して、冷却面に結露した水を、放電によってクラスターにして空気中に放出させる水クラスター発生装置を備え、この水クラスター発生装置を、リアガイダの吹き出し近傍に配し、その放熱フィンが吹き出し方向と平行であり、かつ、その長さが中央から両端に向かって、漸次短くなっているものである。
【０００７】
これによって、脱臭効果が高い水クラスターを、空気調和機の吹出し風に乗せて室内に拡散させることにより、室内の壁やカーテン等に付着している臭い成分まで除去できる上に、放出成分が水であるために、高い安全性が確保されるものである。また、送風性能の低下を最小限に抑え、且つ、フィルタに埃等が蓄積し、通風抵抗が増加した際に生じ易くなるサージングを放熱フィン形状による整流効果により抑えることができる。
【発明の効果】
【０００８】
本発明は、安全性が高く、室内の壁やカーテン等に付着している臭い成分まで除去できる機能を有しながら、送風性能の低下を最小限に抑え、且つ、サージングを抑えることのできる空気調和機を提供することができる。
【発明を実施するための最良の形態】
【０００９】
第１の発明は、熱交換器と、クロスフローファンと、吸入口からフィルタ、前記熱交換器、前記クロスフローファンを通って吹出口に至る送風回路と、ペルチエ素子を有して、冷却面と放熱フィンを有し、冷却面に結露した水を、放電によってクラスター粒子にして空気中に放出させる水クラスター発生装置を備え、この水クラスター発生装置を、リアガイダの吹き出し近傍に配し、その放熱フィンが吹き出し方向と平行であり、かつ、その長さが中央から両端に向かって、漸次短くなっているおり、その整流効果により、フィルタに埃等が蓄積し、通風抵抗が増加した際に生じ易くなるサージングを抑えつつ、クラスター粒子を室内に拡散させることができる。
【００１０】
第２の発明は、前記水クラスター発生装置を、リアガイダの吹き出し近傍に配し、その放熱フィンと吹き出し方向との成す角度が、放熱フィン中央では平行であるが、両端に向かって、漸次その角度が大きくなっているおり、その整流効果によりフィルタに埃等が蓄積し、通風抵抗が増加した際に生じ易くなるサージングを抑えつつ、クラスター粒子を室内に拡散させることができる。
【００１１】
第３の発明は、前記水クラスター発生装置を、クロスフローファンのモータから数えて２連目の仕切り板の中心の位置に配している。空気調和機において、側板付近は側板との摩擦、さらには、モータとクロスフローファンを固定するためのネジを締めるためにブレードが一枚除去されており、それらの原因により、非常に流れの乱れが発生しやすく、そこで発生した不安定流れは軸方向に、その不安定性を伝播することがある。そこで２連目の仕切り板の中心の位置に本発明の水クラスター発生装置を配することにより、不安定性の伝播を抑制することができる。
【００１２】
第４の発明は、前記水クラスター発生装置の放熱フィンの面において、無数の開孔を有しており、この開孔の整流効果により、フィルタに埃等が蓄積し、通風抵抗が増加した際に生じ易くなるサージングを抑えることができる。
【００１３】
第５の発明は、前記水クラスター発生装置の放熱フィンの面において、無数のディンプルを有しており、このディンプルの整流効果により、フィルタに埃等が蓄積し、通風抵抗が増加した際に生じ易くなるサージングを抑えることができる。
【００１４】
（実施の形態１）
図１は、本発明の第１の実施の形態における空気調和機室内機の縦断面図、図２は吹出口を正面から見た正面図で、図３は取り付けられる水クラスター発生装置の拡大斜視図であり、図４は水クラスター発生装置を放熱フィン側から見た模式図であり、図５は水クラスターによる脱臭効果を示すグラフである。
【００１５】
図１〜２において、吸入口１からフィルタ１４を通り、熱交換器２、クロスフローファン３を通って吹出口４に至る送風回路があり、吹出口４付近に、この水クラスター発生装置５を配置する。
【００１６】
図３において、水クラスター発生装置５にはペルチエ素子６があり、その冷却面側７に接して冷却面８、放熱面側９に接して放熱フィン１０を固定する。また、冷却面上と、その上部には電極１１ａ、１１ｂを設け、この両電極間に高電圧を印加する。
【００１７】
図４においてその放熱フィン１０が吹き出し方向と平行であり、かつ、その長さが中央から両端に向かって、漸次短くなっている。
【００１８】
以上のように構成された空気調和機室内機について、以下その動作、作用を説明する。
【００１９】
図５に示す通り、この水クラスターは反応性が高く、臭い成分に作用して無臭成分に分解する能力を持っており、カーテン生地にタバコ臭を付着させ、２時間後に、水クラスター放出の有無による臭気減衰の差を官能試験（６段階臭気表示法）にて評価した結果で、図の通り、自然減衰の場合に比べ明らかに効果が見られる。
【００２０】
また、放熱フィン１０を吹き出し方向と平行であり、かつ、その長さが中央から両端に向かって、漸次短くすることにより、流れの乱れを整流することができる。
【００２１】
このような高い脱臭機能を有する水クラスター発生装置５を有しながら、その放熱フィン１０の形状による整流効果により、サージングを抑止することができる。
【００２２】
（実施の形態２）
図６は、本発明の第２の実施の形態における水クラスター発生装置を放熱フィンの側からみた模式図である。
【００２３】
以下の説明において、実施の形態１の説明と重複する水クラスター発生装置５の構成、脱臭効果とそのメカニズムに関する説明は省略する。
【００２４】
図６において、放熱フィン１０と吹き出し方向との成す角度が、放熱フィン１０中央では平行であるが、両端に向かって、漸次その角度が大きくなっている。これにより、流れの乱れを整流することができる。
【００２５】
以上のように構成された空気調和機室内機について、以下その動作、作用を説明する。
【００２６】
高い脱臭機能を有する水クラスター発生装置５を有しながら、その放熱フィン１０の形状による整流効果により、サージングを抑止することができる。
【００２７】
（実施の形態３）
図７は、本発明の第３の実施の形態における空気調和機室内機のリアガイダ付近の要部拡大断面斜視図である。
【００２８】
以下の説明において、実施の形態１、２の説明と重複する説明は省略する。
【００２９】
図７において、水クラスター発生装置の中央を、多連構造をもつ前記クロスフローファン３のモータの取り付けてある側の端から２つ目の連間仕切り板３ａに対向する位置に配してある。
【００３０】
以上のように構成された空気調和機室内機について、以下その動作、作用を説明する。
【００３１】
本実施の形態によって、本来、空気調和機の側板付近において、側板との摩擦、さらにはモータ１５とクロスフローファン３を固定するためにネジを締めるため一枚除去されたブレードなどにより発生しやすい流れの乱れによる不安定性が軸方向に伝播することを効果的に抑制することができる。
【００３２】
（実施の形態４）
図８は、本発明の第４の実施の形態における空気調和機室内機の放熱フィンの要部拡大斜視図である。
【００３３】
以下の説明において、前記実施の形態の説明と重複する説明は省略する。
【００３４】
図８において、水クラスター発生装置５の放熱フィン１０の面は、無数の開孔１２を有しており、この開孔１２の整流効果により、フィルタ１４に埃等が蓄積し、通風抵抗が増加した際に生じ易くなるサージングを抑えることができる。
【００３５】
（実施の形態５）
図９は、本発明の第５の実施の形態における空気調和機室内機の放熱フィンの要部拡大斜視図である。
【００３６】
以下の説明において、前記実施の形態の説明と重複する説明は省略する。
【００３７】
図９において、水クラスター発生装置５の放熱フィン１０の面は、無数のディンプル１３を有しており、このディンプル１３の整流効果により、フィルタ１４に埃等が蓄積し、通風抵抗が増加した際に生じ易くなるサージングを抑えることができる。
【産業上の利用可能性】
【００３８】
以上のように、本発明にかかる空気調和機は、脱臭効果が高い水クラスターイオンを安全に室内拡散しつつ、サージングを低減することが可能となるので、空気清浄機、加湿機、除湿機等の用途にも適用できる。
【図面の簡単な説明】
【００３９】
【図１】本発明の実施の形態１における空気調和機室内機の縦断面図
【図２】本発明の実施の形態１における吹出口を正面から見た正面図
【図３】本発明の実施の形態１における水クラスター発生装置の拡大斜視図
【図４】本発明の実施の形態１における水クラスター発生装置を放熱フィンの側より見た模式図
【図５】本発明の実施の形態１における脱臭効果を示すグラフ
【図６】本発明の実施の形態２における水クラスター発生装置を放熱フィンの側より見た模式図
【図７】本発明の実施の形態３における空気調和機室内機のリアガイダ付近の要部拡大断面斜視図
【図８】本発明の実施の形態４における空気調和機室内機の放熱フィンの要部拡大斜視図
【図９】本発明の実施の形態５における空気調和機室内機の放熱フィンの要部拡大斜視図
【図１０】従来の空気調和機を示す断面図
【符号の説明】
【００４０】
１  吸入口
２  熱交換器
３  クロスフローファン
３ａ  仕切り板
４  吹出口
５  水クラスター発生装置
６  ペルチエ素子
７  ペルチエ素子冷却面側
８  冷却面
９  ペルチエ素子放熱面側
１０  放熱フィン
１１ａ  冷却面側の電極、
１１ｂ  上の電極
１２  開孔
１３  ディンプル
１４  フィルタ
１５  モータ
【図１】
2006097956.tif 000003
【図２】
2006097956.tif 000004
【図３】
2006097956.tif 000005
【図５】
2006097956.tif 000006
【図１０】
2006097956.tif 000007
【図４】
2006097956.tif 000008
【図６】
2006097956.tif 000009
【図７】
2006097956.tif 000010
【図８】
2006097956.tif 000011
【図９】
2006097956.tif 000012